(57)【特許請求の範囲】
【請求項１】
タンク本体内に連通する開口部を形成してタンク本体に取付固定された取付座と、
この取付座の内側に配設されるとともに、回動係止部を設けた少なくとも２個の挿入穴を有する方向決定板と、
この方向決定板のそれぞれの挿入穴に挿通されて一方の開口端部を前記タンク本体内に液相中に配置したサイフォン管と、一方の開口端部を前記タンク本体内の気相中に配置したサイフォン管と、
前記両サイフォン管の他方の接続用開口端部に取付固定されるとともに前記回動係止部に嵌合する嵌合係止部を設けた連結部材と、
この連結部材を介して前記両サイフォン管の接続用開口端部に連通されると共に、前記連結部材を介して前記方向決定板を押圧した状態で前記取付座に取付固定されるユニット化部品と、
を備えたことを特徴とするＬＰＧ貯蔵用タンク。
【発明の詳細な説明】
【０００１】
【発明の属する技術分野】
本発明は、ＬＰＧ貯蔵用タンクにおけるサイフォン管の組付構造に関する。
【０００２】
【従来の技術】
ＬＰＧ貯蔵用タンクに各種の弁等の部品を取り付ける場合、それ等の部品はタンク本体内の液相又は気相のいずれかに開放する必要があるため、タンク本体内の液相又は気相から、それぞれの部品に連通する少なくとも２本のサイフォン管が必要となる。
【０００３】
近年、ＬＰＧ貯蔵用タンクに取り付ける各種の弁等の部品は、部品コストや組付コストを低減するため、ユニット化される傾向にある。これ等の部品のユニット化されたもの（以下、ユニット化部品と呼ぶ）に、従来は予め２本のサイフォン管を溶接等により接合してから、タンク本体に設けられた取付座の開口部を介して２本のサイフォン管をタンク本体内に挿入配置した後、ユニット化部品を取付座に取り付けていた。
【０００４】
【発明が解決しようとする課題】
しかしながら、上記の組付構造にあっては、ユニット化部品に２本のサイフォン管が予め溶接等で固定されているため、タンク本体に設けられた取付座の開口部を介してタンク本体内に２本のサイフォン管を挿入配置する場合、取付座の開口部の大きさは限定されているので、サイフォン管を湾曲させた状態でタンク本体内に挿入配置することは、湾曲の程度によりできなくなるという問題がある。
【０００５】
本発明は、サイフォン管の組付構造の改良により、上記の問題を解消したＬＰＧ貯蔵用タンクを提供することを目的とする。
【０００６】
【課題を解決するための手段】
本発明は上記の目的を達成するために、次の手段を用いるものである。
タンク本体内に連通する開口部を形成してタンク本体に取付固定された取付座と、
この取付座の内側に配設されるとともに、回動係止部を設けた少なくとも２個の挿入穴を有する方向決定板と、
この方向決定板のそれぞれの挿入穴に挿通されて一方の開口端部を前記タンク本体内に液相中に配置したサイフォン管と、一方の開口端部を前記タンク本体内の気相中に配置したサイフォン管と、
前記両サイフォン管の他方の接続用開口端部に取付固定されるとともに前記回動係止部に嵌合する嵌合係止部を設けた連結部材と、
この連結部材を介して前記両サイフォン管の接続用開口端部に連通されると共に、前記連結部材を介して前記方向決定板を押圧した状態で前記取付座に取付固定されるユニット化部品と、
を備えたことを特徴とするＬＰＧ貯蔵用タンクである。
【０００７】
【作用】
先ず、タンク本体に気密に取付固定された取付座の内側に方向決定板を載置し、予め接続用開口端部に連結部材が取付固定された各サイフォン管の開口端部を方向決定板の挿入穴にそれぞれ挿通する。この場合、サイフォン管が大きく湾曲していても、各サイフォン管はそれぞれ独立して動かすことができるので、方向決定板の挿入穴から取付座の開口部を経てタンク本体内に容易に挿入される。
【０００８】
その後に、方向決定板の挿入穴に設けられた各回動係止部に、連結部材に設けられた各嵌合係止部をそれぞれ嵌合することにより、所要の大きさに湾曲した各サイフォン管のタンク本体内における方向と位置が決定される。
【０００９】
最後に、各連結部材を介して各サイフォン管の接続用開口端部をユニット化部品にそれぞれ気密に連結してから、ユニット化部品を取付座に気密に取付固定することにより、連結部材を介して方向決定板が押圧された状態で取付座に固定される。これにより、タンク本体内における各サイフォン管は上記の方向と位置で強固に固定され、これにより実用状態におけるサイフォン管の位置ズレやタンク本体外へのＬＰＧの洩れは防止される。
【００１０】
【発明の実施の形態】
以下、本発明の実施の形態を、図１乃至図４に示す実施例に基いて説明する。図１において、一部を示すタンク本体１に円筒状の取付座１０が溶接により気密に接合されている。この取付座１０の開口部１１の下方には後述の方向決定板を載置するリング状の座面１２が設けられており、取付座１０の上面には後述のユニット化部品を取付けるボルト用のネジ穴１３が４個設けられている。
【００１１】
取付座１０の座面１２に載置される方向決定板２０には、後述のサイフォン管を挿通する２個の挿入穴２１が対称に明けられており、各挿入穴２１の内周面には、凸状の回動係止部２１ａがそれぞれ形成されている。また、各挿入穴２１の間には、図示しない過充填防止弁の挿通穴２２と、図示しない液面計の挿通穴２３が対称に明けられており、方向決定板２０の外周部には周方向の切り込みにより形成されたバネ作用を有する突起片２４が４個設けられている。
【００１２】
方向決定板２０の各挿入穴２１に挿通する２本のサイフォン管３０Ａ，３０Ｂは所要の大きさにそれぞれ湾曲されていて、各サイフォン管３０Ａ，３０Ｂの下方は開口端部３０ａとなっている。更に、各サイフォン管３０Ａ，３０Ｂの他方の接続用開口端３０ｂには夫々連結部材３１が予め組み込み固定されている。各連結部材３１にそれぞれ形成された鍔部３１ａには、方向決定板２０の各挿入穴２１にそれぞれ形成されている前記回動係止部２１ａに嵌合係止する凹状の嵌合係止部３１ｂがそれぞれ形成されている。なお、１００はユニット化部品で、液充填弁５０と安全弁６０と液取出弁７０がハウジング４０に組み込まれている。ハウジング４０は取付座１０の上面に図示しないボルトを介して取り付けるフランジ状の取付部４１と、取付座１０の開口部１１に気密に嵌合する円柱状の嵌合部４３とがあり、取付部４１には取付座１０の上面に設けられた４個のネジ穴１３に対応する位置に４個のボルト挿通穴４２が明けられている。
【００１３】
ユニット化部品１００の嵌合部４３の下面は、図２に示すように、各サイフォン管３０Ａ，３０Ｂの接続用開口端部３０ｂ側の外周にそれぞれ気密に固着された各連結部材３１の鍔部３１ａを嵌め込む各嵌入穴４４が対称に明けられており、各嵌入穴４４の間には図示しない過充填防止弁の挿通穴４５と図示しない液面計の挿通穴４６が対称に明けられている。なお、図２において、図１と同符号のものは同じものであるため説明は省略する。
【００１４】
次に、各部品の組付順序について説明する。
図１において、タンク本体１に気密に溶接固定された取付座１０の開口部１１の下方に設けられた座面１２に、方向決定板２０を挿入載置する。そして、各サイフォン管３０Ａ，３０Ｂの図の上方の接続用開口端部３０ｂの外周に対し連結部材３１をロー付けにより気密に固定し、各サイフォン管３０Ａ，３０Ｂの中間部を所要の大きさにそれぞれ湾曲させておく。
【００１５】
次で、各サイフォン管３０Ａ，３０Ｂの開口端部３０ａを取付座１０の座部１２に載置された方向決定板２０の各挿入穴２１にそれぞれ挿入し、取付座１０の開口部１１を経て各サイフォン管３０Ａ，３０Ｂをタンク本体１内にそれぞれ挿入配置する。この場合、各サイフォン管３０Ａ，３０Ｂは独立して動かすことができるので、各挿入穴２１からタンク本体１内に容易に挿入することができる。
【００１６】
次で、方向決定板２０の各挿入穴２１に形成された凸状の回動係止部２１ａに、各連結部材３１に形成された凹状の嵌合係止部３１ｂをそれぞれ嵌合係止させる。これにより、タンク本体１内において、湾曲した各サイフォン管３０Ａ，３０Ｂの方向と位置が決定される。
【００１７】
最後に、各連結部材３１を図２に示すユニット化部品１００の嵌合部４３の底面に明けられた各挿入穴４４にそれぞれ嵌入し、ユニット化部品１００の嵌合部４３を取付座１０の開口部１１に嵌め込み、ユニット化部品１００の取付部４１に明けられた４個のボルト挿通穴４２に図示しないボルトを挿通して、図１に示す取付座１０に設けられた４個のボルト用ネジ穴１３に図示しないボルトによってネジ締付け固定する。ここで、上記のネジ締付け固定した場合のサイフォン管３０Ａ，３０Ｂ周辺の組付構造を図３に基いて説明する。
【００１８】
図３に示すように、連結部材３１の外周面の一部に環状の角溝３１ｃが形成されていて、該角溝３１ｃの中にはＬＰＧに強いＮＢＲ等のゴム部材より成るＯリング３２が嵌め込まれており、連結部材３１がユニット化部品１００の嵌合部４３の底面に明けられた嵌入穴４４に嵌入されることにより、Ｏリング３２を介して連結部材３１がユニット化部品１００の嵌合部４３に気密に取り付けられる。
【００１９】
また、嵌合部４３の外周面の一部に環状の角溝４３ａが形成されていて、該角溝４３ａの中には同じくＬＰＧに強いＮＢＲ等のゴム部材より成るＯリング４７が嵌め込まれており、嵌合部４３が取付座１０の開口部１１に嵌入されることにより、Ｏリング４７を介して嵌合部４３が取付座１０の開口部１１に気密に取り付けられている。
【００２０】
なお、方向決定板２０は、取付座１０の座面１２に対してバネ作用を有する突起片２４により、連結部材３１の鍔部３１ａを介して押圧された状態で組み付けられる。これにより、タンク本体１内において、湾曲した各サイフォン管３０Ａ，３０Ｂの方向と位置が固定される。
【００２１】
ここで、図１に示すサイフォン管３０Ａ，３０Ｂの接続用開口端部３０ｂは、図３に示すように、連結部材３１内で破線で示すように気密に組み込まれており、連結部材３１内の破線で示す穴３１ｄに連通している。
【００２２】
図４は以上の手順で各部品を組み付けたＬＰＧ貯蔵用タンクの内部を透視して示すもので、所要の大きさに湾曲された一方のサイフォン管３０Ａの開口端部３０ａがタンク本体１内の液相Ｌの中に配置され、他方のサイフォン管３０Ｂの開口端部３０ａがタンク本体１内の気相Ｇの中に配置されている。ここで、各サイフォン管３０Ａ，３０Ｂの開口端部３０ａのタンク本体１内における位置は、各サイフォン管３０Ａ，３０Ｂの長さと湾曲の大きさにより決まり、タンク本体１内における向きは、方向決定板２０の挿入穴２１に形成される回動係止部２１ａの位置又は連結部材３１の嵌合係止部３１ｂの位置によって決まる。
【００２３】
なお、図４に示すように、タンク本体１内へのＬＰＧの導入とタンク本体１外へのＬＰＧの導出は、ユニット化部品１００に組み込まれた液充填弁５０と液取出弁７０を介して矢印で示すように行われる。
【００２４】
次に、本実施例では、方向決定板２０の各挿入穴２１に凸状の回動係止部２１ａをそれぞれ形成し、これに嵌合係止する凹状の嵌合係止部３１ｂを各連結部材３１にそれぞれ形成したが、逆に回動係止部２１ａを凹状に、嵌合係止部３１ｂを凸状に形成してもよい。更に、回動係止部２１ａに対する嵌合係止部３１ｂの形状は凹凸に限定するものではなく、回動を生じない嵌合形状ならばよい。
【００２５】
また、本実施例では、サイフォン管３０Ａ，３０Ｂの接続用開口端部３０ｂを連結部材３１の内部に組み込み、連結部材３１内に設けられた穴３１ｄと連通させたが、サイフォン管３０Ａ，３０Ｂの外径に近い内径の連結部材を用いて、接続用開口端部３０ｂを連結部材に挿入して任意の位置でロー付等によって気密に固着してもよい。
【００２６】
【発明の効果】
本発明のＬＰＧ貯蔵用タンクは以上のように構成されているため、各種の弁等を一体的にユニット化したユニット化部品を用いて、所要の大きさに湾曲させた各サイフォン管を、タンク本体内の液相中と気相中の所要の方向に向けて容易に配置固定することができる。
【図面の簡単な説明】
【図１】本発明のＬＰＧ貯蔵用タンクに用いられる各部品を分離して示す斜視図である。
【図２】同じく各部品の仮組付状態を示す斜視図である。
【図３】同じく各部品の組付後における要部の縦断面図である。
【図４】本発明のＬＰＧ貯蔵用タンクの一部を透視して示す側面図である。
【符号の説明】
１            タンク本体
１０          取付座
１１          開口部
２０          方向決定板
２１          挿入穴
２１ａ        回動係止部
３０Ａ，３０Ｂ    サイフォン管
３０ａ        開口端部
３０ｂ        接続用開口端部
３１          連結部材
３１ｂ        嵌合係止部
１００        ユニット化部品
【図１】
0004397070.tif 000002
【図２】
0004397070.tif 000003
【図３】
0004397070.tif 000004
【図４】
0004397070.tif 000005